(57)【要約】      （修正有）【課題】組立作業を間違いなく能率良くおこなうこと。【解決手段】ピボットピンチ１がホルダ２に内嵌され、該ホルダ２にピンチローラ３が外嵌され、ピボットピンチ１のテーパ状中心孔８が上すぼまりとなるようにローラ軸４ａに回転可能に嵌合されており、ピンチローラ３を磁気テープＴを介してキャプスタン１７に当接させ、該キャプスタン１７を回転駆動することにより、磁気テープＴを走行させるように形成され、前記ピボットピンチ１の上側鍔部１ｂの外径がその下側鍔部１ｃの外径よりも小さく設定され、前記ホルダ２内が上側孔１０と中央孔１９と下側孔１１との３つに分かれており、ピボットピンチ１をホルダ２内に下側孔１１から挿入し、該ピボットピンチ１の上側鍔部１ｂを中央孔１９内に嵌入させてその中央孔１９と上側孔１０との間の段差２０に当接させる。【選択図】図１
0003132540.tif 000002
【実用新案登録請求の範囲】
【請求項１】
円筒状本体と該本体の上下端に一体突設した鍔部とを有する合成樹脂製ピボットピンチ
が円筒状ホルダに内嵌され、該ホルダにピンチローラが外嵌され、前記ピボットピンチの
テーパ状中心孔が上すぼまりとなるようにローラ軸に回転可能に嵌合されており、ピンチ
ローラを磁気テープを介してキャプスタンに当接させ、該キャプスタンを回転駆動するこ
とにより、磁気テープを走行させるようにした磁気テープ装置のピンチローラ機構におい
て、前記ピボットピンチの上側鍔部の外径がその下側鍔部の外径よりも小さく設定され、
前記ホルダ内が上側孔と中央孔と下側孔との３つに分かれ、前記上側孔の内径が前記上側
鍔部の外径よりも小さく設定され、前記中央孔の内径が前記上側孔の内径よりも大きくて
前記上側鍔部の外径と同一またはわずかに小さいく設定され、前記下側孔の内径が前記中
央孔の内径よりも大きくて前記下側鍔部の外径と同一またはわずかに大きく設定されてお
り、ピボットピンチをホルダ内に下側孔から挿入し、該ピボットピンチの上側鍔部を中央
孔内に嵌入させてその中央孔と上側孔との間の段差に当接させると共に、該ピボットピン
チの下側鍔部を中央孔と下側孔との間の段差に対向させることを特徴とする磁気テープ装
置のピンチローラ機構。
【請求項２】
円筒状本体と該本体の上下端に一体突設した鍔部とを有する合成樹脂製ピボットピンチ
が円筒状ホルダに内嵌され、該ホルダにピンチローラが外嵌され、前記ピボットピンチの
テーパ状中心孔が上すぼまりとなるようにローラ軸に回転可能に嵌合されており、ピンチ
ローラを磁気テープを介してキャプスタンに当接させ、該キャプスタンを回転駆動するこ
とにより、磁気テープを走行させるようにした磁気テープ装置のピンチローラ機構におい
て、前記ピボットピンチの上側鍔部の外径がその下側鍔部の外径よりも小さく設定され、
前記ホルダ内が上側孔と中央孔と下側孔との３つに分かれており、ピボットピンチをホル
ダ内に下側孔から挿入し、該ピボットピンチの上側鍔部を中央孔内に嵌入させてその中央
孔と上側孔との間の段差に当接させると共に、該ピボットピンチの下側鍔部を中央孔と下
側孔との間の段差に対向させることを特徴とする磁気テープ装置のピンチローラ機構。
【請求項３】
前記上側孔の内径が前記上側鍔部の外径よりも小さく設定され、前記中央孔の内径が前
記上側孔の内径よりも大きくて前記上側鍔部の外径と同一またはわずかに小さいく設定さ
れ、前記下側孔の内径が前記中央孔の内径よりも大きくて前記下側鍔部の外径と同一また
はわずかに大きく設定されていることを特徴とする請求項２に記載の磁気テープ装置のピ
ンチローラ機構。
【考案の詳細な説明】
【技術分野】
【０００１】
本考案は、磁気テープ装置のピンチローラ機構に関し、特に、組立作業を間違いなく能
率良くおこなうことができるようにしたものである。
【背景技術】
【０００２】
従来、磁気テープ装置のピンチローラ機構の一例として図６〜図９に示すものがあり、
図６は同縦断面図、図７は同分解斜視図、図８は同要部の分解縦断面図、図９（ａ）は正
常押し込み手順を示す縦断面図、図９（ｂ）は入れ間違い手順を示す縦断面図である。
【０００３】
図６〜図８に示すように、合成樹脂製ピボットピンチ１が合成樹脂製円筒状ホルダ２に
内嵌され、該ホルダ２にゴム製ピンチローラ３が外嵌され、前記ピボットピンチ１がロー
ラ主軸４の上端に同心状に一体突設したローラ軸４ａに外嵌され、該ローラ主軸４が軸心
Ｏ１回りで矢印ａ，ｂ方向に揺動可能なアーム５の先端に一体突設されている。
【０００４】
図８に示すように、前記ピボットピンチ１は、円筒状本体１ａと該本体１ａの上下端に
一体突設した鍔部１ｂ，１ｃとを有し、その本体１ａの内周面両端に各鍔部１ｂ，１ｃの
幅ｔよりも広幅ｈの大径部７が形成され、本体１ａ内の両大径部７間にテーパ状中心孔８
が形成され、該中心孔８のテーパの勾配角度αは図面上で誇張して表示しており、実際に
は、その勾配角度αを目視で確認することは困難であって、例えばα＝１〜２°に設定さ
れている。また、中心孔８の内径ｒ１がローラ軸４ａの外径ｄ１（図６参照）よりもわず
かに大きく設定されると共に、両大径部７の内径ｒ２が中心孔８の内径ｒ１よりも大きく
設定されている。なお、９は凹溝からなる識別マークである。
【０００５】
図８に示すように、両鍔部１ｂ，１ｃの外径Ｄ１，Ｄ２が同一（Ｄ１＝Ｄ２）に設定さ
れ、ホルダ２内が上側孔１０と下側孔１１との２つに分かれ、上側孔１０の内径Ｒ１が前
記両鍔部１ｂ，１ｃの外径Ｄ１，Ｄ２よりも小さく設定され、下側孔１１の内径Ｒ２が両
鍔部１ｂ，１ｃの外径Ｄ１，Ｄ２と同一またはわずかに小さく設定されている。なお、１
２はスリーブピンチであって、その外径Ｄ３が両鍔部１ｂ，１ｃの外径Ｄ１，Ｄ２と同一
に設定されている。また、図６中、１３はキャップピンチ、１４はワッシャである。
【０００６】
組立手順を説明すると、図９（ａ）に実線で示すように、下側孔１１を上向きにした状
態でホルダ２を起立させ、識別マーク９を目印にして上側鍔部１ｂを下側孔１１の開口部
に対向させた状態でピボットピンチ１を位置決めし、図９（ａ）に仮想線で示すように、
押し込み部材１６によりピボットピンチ１を下側孔１１内に押し込む。
【０００７】
続いて、スリーブピンチ１２を下側孔１１に押し込むと共に、ホルダ２にピンチローラ
３を外嵌させた後、図６に示すように、ピボットピンチ１の中心孔８にローラ軸４ａを嵌
入させることにより、そのピボットピンチ１のテーパ状中心孔８が上すぼまりとなるよう
にローラ軸４ａに嵌合され、該ローラ軸４ａにキャップピンチ１３を嵌合させる。
【０００８】
再生モードや録画モード及び逆転再生モードでは、図６に示すように、ピンチローラ３
を磁気テープＴを介してキャプスタン１７に押し付け、該キャプスタン１７を回転させて
磁気テープＴを走行させることにより、その磁気テープに記録されている情報の再生、新
たな情報の記録及び逆転状態での情報の再生を行なう。
【０００９】
上記構成において、図６に示すように、ピンチローラ３を磁気テープＴを介してキャプ
スタン１７に押し付ける際に、該キャプスタン１７の軸心Ｏ２とピンチローラ３の軸心Ｏ
３との平行度の誤差を、ピボットピンチ１の中心孔８とローラ軸４ａとの間のクリアラン
スＣやピボットピンチ１の弾性変形による自動調心機能によって吸収する。
【００１０】
ここで、前記ピボットピンチ１を成形する際の金型の抜き勾配により、その中心孔８が
テーパ状に形成されており、正常状態では、テーパ状中心孔８が上すぼまりとなるように
ローラ軸４ａに回転可能に嵌合（図６参照）されて自動調心機能を発揮するように設定さ
れている。なお、関連する技術として特許文献１に記載したものがある
【特許文献１】実用新案登録第３０６３６６８号公報
【考案の開示】
【考案が解決しようとする課題】
【００１１】
上記従来の構成では、ピボットピンチ１の上下両鍔部１ｂ，１ｃの外径Ｄ１，Ｄ２が同
一であるから、図８（ｂ）に実線で示すように、ホルダ２の下側孔１１に対してピボット
ピンチ１の下側鍔部１ｃを間違えて逆向きに対向させたときでも、該ピボットピンチ１を
ホルダ２内の奥まで正常押し込み手順〔図８（ａ）参照〕と同じように押し込むおそれが
あり、その入れ間違いを検査工程で目視でチェックすることは困難であり、もしも、その
入れ間違いを見過ごしたピンチローラ機構を使用すると、自動調心機能を適正に発揮させ
ることが困難になり、特に、逆転再生モードで、再生画像が不安定になると共に、大きな
異音が発生する。
【００１２】
また、図８（ａ）に示すように、下側孔１１の内径Ｒ２が両鍔部１ｂ，１ｃの外径Ｄ１
，Ｄ２と同一またはわずかに小さく設定されているから、正常押し込み手順を行なってい
る場合でも、下側孔１１内にピボットピンチ１を強制的に押し込むのに手間がかかって面
倒である。
【００１３】
本考案は、上記従来の欠点に鑑み、組立作業を間違いなく能率良くおこなうことができ
るようにした磁気テープ装置のピンチローラ機構を提供することを目的としている。
【課題を解決するための手段】
【００１４】
上記目的を達成するため、請求項１に記載は、円筒状本体と該本体の上下端に一体突設
した鍔部とを有する合成樹脂製ピボットピンチが円筒状ホルダに内嵌され、該ホルダにピ
ンチローラが外嵌され、前記ピボットピンチのテーパ状中心孔が上すぼまりとなるように
ローラ軸に回転可能に嵌合されており、ピンチローラを磁気テープを介してキャプスタン
に当接させ、該キャプスタンを回転駆動することにより、磁気テープを走行させるように
した磁気テープ装置のピンチローラ機構において、前記ピボットピンチの上側鍔部の外径
がその下側鍔部の外径よりも小さく設定され、前記ホルダ内が上側孔と中央孔と下側孔と
の３つに分かれ、前記上側孔の内径が前記上側鍔部の外径よりも小さく設定され、前記中
央孔の内径が前記上側孔の内径よりも大きくて前記上側鍔部の外径と同一またはわずかに
小さいく設定され、前記下側孔の内径が前記中央孔の内径よりも大きくて前記下側鍔部の
外径と同一またはわずかに大きく設定されており、ピボットピンチをホルダ内に下側孔か
ら挿入し、該ピボットピンチの上側鍔部を中央孔内に嵌入させてその中央孔と上側孔との
間の段差に当接させると共に、該ピボットピンチの下側鍔部を中央孔と下側孔との間の段
差に対向させることを特徴としている。
【００１５】
請求項２に記載の考案は、円筒状本体と該本体の上下端に一体突設した鍔部とを有する
合成樹脂製ピボットピンチが円筒状ホルダに内嵌され、該ホルダにピンチローラが外嵌さ
れ、前記ピボットピンチのテーパ状中心孔が上すぼまりとなるようにローラ軸に回転可能
に嵌合されており、ピンチローラを磁気テープを介してキャプスタンに当接させ、該キャ
プスタンを回転駆動することにより、磁気テープを走行させるようにした磁気テープ装置
のピンチローラ機構において、前記ピボットピンチの上側鍔部の外径がその下側鍔部の外
径よりも小さく設定され、前記ホルダ内が上側孔と中央孔と下側孔との３つに分かれてお
り、ピボットピンチをホルダ内に下側孔から挿入し、該ピボットピンチの上側鍔部を中央
孔内に嵌入させてその中央孔と上側孔との間の段差に当接させると共に、該ピボットピン
チの下側鍔部を中央孔と下側孔との間の段差に対向させることを特徴としている。
【００１６】
請求項３に記載の考案は、請求項２に記載の考案において、前記上側孔の内径が前記上
側鍔部の外径よりも小さく設定され、前記中央孔の内径が前記上側孔の内径よりも大きく
て前記上側鍔部の外径と同一またはわずかに小さいく設定され、前記下側孔の内径が前記
中央孔の内径よりも大きくて前記下側鍔部の外径と同一またはわずかに大きく設定されて
いることを特徴としている。
【考案の効果】
【００１７】
請求項１に記載の考案は実施の一形態（図１〜図５参照）に対応するものであって、こ
れによれば、ピボットピンチの上側鍔部の外径がその下側鍔部の外径よりも小さく設定さ
れて、下側鍔部の外径が中央孔の内径よりも大きいので、組立作業で、ピボットピンチを
ホルダ内に入れ間違えて逆向きに押し込んだときには、該ピボットピンチの下側鍔部が中
央孔と下側孔との間の段差に当たってそれ以上の押し込みが不能となり、そのピボットピ
ンチの入れ間違いを見過ごすおそれがなく、組立作業を間違えないように確実に行なうこ
とができ、従来のように入れ間違いを見過ごしたピンチローラ機構を使用することによる
再生画像の不安定や大きな異音の発生を防ぐことができる。
【００１８】
また、正常押し込み手順により、ピボットピンチをホルダの下側孔を通って中央孔に押
し込む際に、下側孔の内径が下側鍔部の外径と同一またはわずかに大きく設定されている
ので、その下側孔から中央孔の手前まではホルダ内にピボットピンチを容易に挿入するこ
とができ、押し込み作業を能率良く行なうことができる。
【００１９】
請求項２に記載の考案は基本形態に対応するものであって、これによれば、ピボットピ
ンチの上側鍔部の外径が下側鍔部の外径よりも小さく設定されて、その下側鍔部の外径が
中央孔の内径よりも大きいので、組立作業で、ピボットピンチをホルダ内に入れ間違えて
逆向きに押し込んだときには、該ピボットピンチの下側鍔部が中央孔と下側孔との間の段
差に当たってそれ以上の押し込みが不能となり、そのピボットピンチの入れ間違いを見過
ごすおそれがなく、組立作業を間違えないように確実に行なうことができ、従来のように
入れ間違いを見過ごしたピンチローラ機構を使用することによる再生画像の不安定や大き
な異音の発生を防ぐことができる。
【００２０】
請求項３に記載の考案によれば、正常押し込み手順により、ピボットピンチをホルダの
下側孔を通って中央孔に押し込む際に、下側孔の内径が下側鍔部の外径と同一またはわず
かに大きく設定されているので、その下側孔から中央孔の手前まではホルダ内にピボット
ピンチを容易に挿入することができ、押し込み作業を能率良く行なうことができる。
【考案を実施するための最良の形態】
【００２１】
図１〜図５は本考案の実施の一形態である磁気テープ装置のピンチローラ機構を示すも
のであって、図１は同縦断面図、図２は同分解斜視図、図３は同要部の分解縦断面図、図
４（ａ）及び（ｂ）は正常押し込み手順を示す縦断面図、図５は入れ間違い手順を示す縦
断面図である。
【００２２】
図１〜図３に示すように、ピボットピンチ１の上側鍔部１ｂの外径Ｄ１がその下側鍔部
１ｃの外径Ｄ２よりも小さく設定され（Ｄ１＜Ｄ２）、前記ホルダ２内の上側孔１０は従
来と同じで変わらず、下側孔１１を短くして、該下側孔１１と上側孔１０との間に中央孔
１９が形成されている。
【００２３】
前記上側孔１０の内径Ｒ１が上側鍔部１ｂの外径Ｄ１よりも小さく設定され、中央孔１
９の内径Ｒ３が上側孔１０の内径Ｒ１よりも大きくて上側鍔部１ｂの外径Ｄ１と同一また
はわずかに小さいく設定され、下側孔１１の内径Ｒ２が中央孔１９の内径Ｒ３よりも大き
くて下側鍔部１ｃの外径Ｄ２と同一またはわずかに大きく設定されている。上記以外の構
成は図６〜図９に示す構成とほぼ同じであるから、同一部分に同一符号を付してその説明
を省略する。
【００２４】
具体的寸法の一例を示すと、図３に示すように、上側鍔部１ｂの外径Ｄ１が５．０ｍｍ
（Ｄ１＝５．０ｍｍ）、下側鍔部１ｃの外径Ｄ２が５．６ｍｍ（Ｄ２＝５．６ｍｍ）であ
って、その上下両鍔部１ｂ，１ｃ間の差ｋが０．３ｍｍ（ｋ＝０．３ｍｍ）である。
【００２５】
ホルダ２の上側孔１０の内径Ｒ１が４．４ｍｍ（Ｒ１＝４．４ｍｍ）、中央孔１９の内
径Ｒ３が５．０ｍｍ（Ｒ３＝５．０ｍｍ）、下側孔１１の内径Ｒ２が５．８ｍｍ（Ｒ２＝
５．８ｍｍ）である。
【００２６】
組立手順を説明すると、図４（ａ）に示すように、下側孔１１を上向きにした状態でホ
ルダ２を起立させ、識別マーク９を目印にして上側鍔部１ｂを下側孔１１の開口部に対向
させた状態でピボットピンチ１を位置決めし（仮想線参照）、該ピボットピンチ１を下側
孔１１内に挿入する（実線参照）。
【００２７】
続いて、図４（ｂ）に示すように、押し込み部材１６によりピボットピンチ１を中央孔
１９内に押し込み、該ピボットピンチ１の上側鍔部１ｂを中央孔１９と上側孔１０との間
の段差２０に当接させると共に、そのピボットピンチ１の下側鍔部１ｃを中央孔１９と下
側孔１１との間の段差２１に対向させる。以降の組立作業は従来と同じであるから、その
説明を省略する。
【００２８】
上記構成によれば、正常押し込み手順により、ピボットピンチ１を下側孔１１を通って
中央孔１９に押し込む際に、下側孔１１の内径Ｒ２が下側鍔部１ｃの外径Ｄ２と同一また
はわずかに大きく設定されているので、その下側孔１１から中央孔１９の手前まではホル
ダ２内にピボットピンチ１を容易に挿入することができ、押し込み作業を能率良く行なう
ことができる。
【００２９】
図５に示すように、ホルダ２の下側孔１１に対してピボットピンチ１の下側鍔部１ｃを
入れ間違えて逆向きに対向させて、該ピボットピンチ１を下側孔１１内に挿入したときに
は、下側鍔部１ｃが段差２１に当たって、ピボットピンチ１が中央孔１９内まで押し込ま
れない。
【００３０】
上記構成によれば、ピボットピンチ１の上側鍔部１ｂの外径Ｄ１がその下側鍔部１ｃの
外径Ｄ２よりも小さく設定されて、その下側鍔部１ｃの外径Ｄ２が中央孔１９の内径Ｒ３
よりも大きいので、組立作業で、ピボットピンチ１をホルダ２内に入れ間違えて逆向きに
押し込んだときには、該ピボットピンチ１の下側鍔部１ｃが段差２１に当たってそれ以上
の押し込みが不能となり、そのピボットピンチ１の入れ間違いを見過ごすおそれがなく、
組立作業を間違えないように確実に行なうことができ、従来のように入れ間違いを見過ご
したピンチローラ機構を使用することによる再生画像の不安定や大きな異音の発生を防ぐ
ことができる。
【図面の簡単な説明】
【００３１】
【図１】本考案の実施の一形態である磁気テープ装置のピンチローラ機構を示す縦断面図である。
【図２】同分解斜視図である。
【図３】同要部の分解縦断面図である。
【図４】（ａ）及び（ｂ）は正常押し込み手順を示す縦断面図である。
【図５】同入れ間違い手順を示す縦断面図である。
【図６】従来例を示す縦断面図である。
【図７】同分解斜視図である。
【図８】同要部の分解縦断面図である。
【図９】（ａ）は正常押し込み手順を示す縦断面図、（ｂ）は入れ間違い手順を示す縦断面図である。
【符号の説明】
【００３２】
１          ピボットピンチ
１ａ        ピボットピンチの本体
１ｂ        ピボットピンチの上側鍔部
１ｃ        ピボットピンチの下側鍔部
２          ホルダ
３          ピンチローラ
４ａ        ローラ軸
８          ピボットピンチの中央孔
１０        ホルダの上側孔
１１        ホルダの下側孔
１７        キャプスタン
１９        ホルダの中央孔
Ｄ１        上側鍔部の外径
Ｄ２        下側鍔部の外径
Ｒ１        上側孔の内径
Ｒ２        下側孔の内径
Ｒ３        中央孔の内径
Ｔ          磁気テープ
【図１】
0003132540.tif 000003
【図２】
0003132540.tif 000004
【図３】
0003132540.tif 000005
【図４】
0003132540.tif 000006
【図５】
0003132540.tif 000007
【図６】
0003132540.tif 000008
【図７】
0003132540.tif 000009
【図８】
0003132540.tif 000010
【図９】
0003132540.tif 000011